(57)【特許請求の範囲】
【請求項１】
ベースと、
中央スイッチと、その周辺の円周上に設けられた複数個の周辺スイッチとを備えて、前記ベース上に固定配置された多方向スイッチと、
該多方向スイッチの裏側に併設されたロータリエンコーダと、
前記多方向スイッチにおける中央スイッチの直上部分に配設されて、押圧操作により該中央スイッチを作動するプッシュボタンと、
該プッシュボタンを囲んで前記ベース面と平行に回動自在に配設されて、回動操作により前記ロータリエンコーダを作動するダイアルと、を備え、
該ダイアルを前記ベースに対してその面方向に可動的に配設して、前記多方向スイッチの各周辺スイッチに対応する所定位置を押圧することにより、所定の周辺スイッチを作動する周辺スイッチ押圧操作機能を付与する一方、
前記ダイアルと多方向スイッチとの間には、前記ベース側に固定されて、前記ダイアルの所定位置を押圧した際に所定の周辺スイッチに押圧力を伝達する押圧力伝達部材を備え、
前記押圧力伝達部材は、前記多方向スイッチにおける各周辺スイッチの上方に板ばね部を介して配設されて、前記ダイアルの裏面に弾性的に摺接するダイアル摺接片と、
各ダイアル摺擦片の裏面に突設されて、先端が前記各周辺スイッチに当接する押圧子と、を備えていることを特徴とする複合スイッチ。
【請求項２】
前記プッシュボタンは、前記中央スイッチに当接した状態で、前記押圧力伝達部材により抜止め保持されていることを特徴とする請求項１に記載の複合スイッチ。
【請求項３】
前記押圧力伝達部材は、前記各隣接するダイアル摺接片の中間位置に突設されて、ダイアルを所定位置以外の部位で押圧した際に、該ダイアルの裏面に当接して周辺スイッチの誤作動を防止する誤作動防止用の突起を備えていることを特徴とする請求項１または２に記載の複合スイッチ。
【請求項４】
前記多方向スイッチは、前記ベース上に固定したスイッチベース上に固定配置され、前記ロータリエンコーダは、このスイッチベースの裏側に配設されていることを特徴とする請求項１〜３のいずれか１つに記載の複合スイッチ。
【請求項５】
前記押圧力伝達部材は、前記スイッチベースに固定されていることを特徴とする請求項４に記載の複合スイッチ。
【請求項６】
前記スイッチベースの裏面中央には円筒状のボス部が突設され、このスイッチベースと前記ベースとの間には、前記円筒状のボス部に回動自在に挿通されて前記ダイアルと一体に回動可能なスライダーが配設されていることを特徴とする請求項４または５に記載の複合スイッチ。
【請求項７】
前記スライダーとベースとの相互に、前記ダイアルの回動操作に節度感を付与するクリック機構を配設したことを特徴とする請求項６に記載の複合スイッチ。
【請求項８】
前記多方向スイッチは、中央固定接点と、その周辺の円周上に配設された複数個の周辺固定接点とがプリントされて、前記スイッチベース上に重合固定されたフレキシブルプリント配線板と、
前記中央固定接点および各周辺固定接点上に配置されて、前記プッシュボタンとダイアルの押圧力により展開可能なドーム状可動接点と、で構成されていることを特徴とする請求項４または５に記載の複合スイッチ。
【請求項９】
前記ロータリエンコーダは、エンコーダ用の固定接点がプリントされて、前記スイッチベースの裏面に重合固定されたフレキシブルプリント配線板と、
前記スライダー上に設けられて、前記エンコーダ用の固定接点と摺接するエンコーダ用の可動接点と、で構成されていることを特徴とする請求項６〜８のいずれか１つに記載の複合スイッチ。
【請求項１０】
前記ロータリエンコーダのフレキシブルプリント配線板は、前記スイッチベース裏面の円筒状のボス部に挿通可能な円環状に形成されていて、前記多方向スイッチのフレキシブルプリント配線板の周縁に連結片を介して一体に連設して、該連結片で折返してスイッチベースの裏面に配設する一方、
エンコーダ用の固定接点および多方向スイッチの固定接点の各引出し線は、多方向スイッチのフレキシブルプリント配線板の周縁に一体成形した共通の引出し部に形成し、
この引出し部をスイッチベースの中央部を貫通して裏側の円筒状のボス部内に通し、ベースの中央部に形成したハーネス引出し孔より外部へ引出されていることを特徴とする請求項９に記載の複合スイッチ。
【請求項１１】
前記ダイアルは、前記多方向スイッチ，ロータリエンコーダ，押圧力伝達部材，およびスライダーを内包するカップ状に形成されていて、前記ベース上に固定したリング状のダイアルホルダにフランジ部同士の係合により回動自在に抜止め保持されており、
ダイアル側のフランジ部は、ダイアルホルダ側のフランジ部に点又は線接触して、前記フランジ部同士間に所要のクリアランスを確保して、これら両者が離間する方向にばね力を付与する複数個の板ばね部を備えていることを特徴とする請求項１０に記載の複合スイッチ。
【発明の詳細な説明】
【技術分野】
【０００１】
本発明は、プリンターや携帯電話機等に使用される、多方向スイッチとロータリエンコーダとを備えた複合スイッチに関する。
【背景技術】
【０００２】
従来、この種の複合スイッチとしては、多方向スイッチにおける中央スイッチおよびその周辺に設けた周辺スイッチの押圧操作専用のプッシュボタンの周囲に、ロータリエンコーダの回動操作専用のダイアルを組付けたものが種々知られている。
【０００３】
また、これら複合スイッチの多くは、そのスイッチユニットに、多方向スイッチ用の固定接点およびエンコーダ用の固定接点をプリントしたフレキシブルプリント配線板が用いられている。
【０００４】
このフレキシブルプリント配線板は、一枚の配線板上の中央部分に多方向スイッチ用の中央固定接点と、その周囲に複数個の周辺固定接点をプリント配設し、これら多方向スイッチ用の固定接点を囲んでその外側にエンコーダ用の固定接点を円環状にプリント配設した構成となっている（特許文献１，２参照）。
【特許文献１】特開２００３−３６７６７号公報
【特許文献２】特開２００４−１７８８１３号公報
【発明の開示】
【発明が解決しようとする課題】
【０００５】
前記何れの複合スイッチにあっても、多方向スイッチの押圧操作専用のプッシュボタンの周囲に、ロータリエンコーダの回動操作専用のダイアルを配設してあるため、スイッチ操作部が大径化してしまうことは否めない。
【０００６】
また、スイッチユニットにおけるフレキシブルプリント配線板の一面に、多方向スイッチ用の固定接点を囲んでロータリエンコーダ用の固定接点をプリント配設しているため、スイッチユニットが大径化してしまい、前記スイッチ操作部が大径化してしまうことと併せて、複合スイッチ全体が大型化してしまう。
【０００７】
そこで、本発明はスイッチ操作部を小径化することができて、複合スイッチが組込まれる各種機器におけるスイッチ操作部の占有面積を縮小して、レイアウトの自由度を拡大することができる複合スイッチを提供するものである。
【課題を解決するための手段】
【０００８】
本発明複合スイッチにあっては、ベースと、
中央スイッチと、その周辺の円周上に設けらえた複数個の周辺スイッチとを備えて、前記ベース上に固定配置された多方向スイッチと、
該多方向スイッチの裏側に併設されたロータリエンコーダと、
前記多方向スイッチにおける中央スイッチの直上部分に配設されて、押圧操作により該中央スイッチを作動するプッシュボタンと、
該プッシュボタンを囲んで前記ベース面と平行に回動自在に配設されて、回動操作により前記ロータリエンコーダを作動するダイアルと、を備え、
該ダイアルを前記ベースに対してその面方向に可動的に配設して、前記多方向スイッチの各周辺スイッチに対応する所定位置を押圧することにより、所定の周辺スイッチを作動する周辺スイッチ押圧操作機能を付与する一方、
前記ダイアルと多方向スイッチとの間には、前記ベース側に固定されて、前記ダイアルの所定位置を押圧した際に所定の周辺スイッチに押圧力を伝達する押圧力伝達部材を備え、
前記押圧力伝達部材は、前記多方向スイッチにおける各周辺スイッチの上方に板ばね部を介して配設されて、前記ダイアルの裏面に弾性的に摺接するダイアル摺接片と、
各ダイアル摺接片の裏面に突設されて、先端が前記各周辺スイッチに当接する押圧子と、を備えていることを最も主要な特徴としている。
【発明の効果】
【０００９】
本発明によれば、プッシュボタンを多方向スイッチにおける中央スイッチのみの押圧操作用に設定されているため、先ず、このプッシュボタンの小径化が可能となり、そして、このプッシュボタンの周囲に配設したロータリエンコーダ操作用のダイアルは、ベースに対してその面方向にも可動的に配設して、このダイアルに前記多方向スイッチにおける周辺スイッチを作動する周辺スイッチ操作機能を付与しているため、該周辺スイッチの操作性を些かも損なうことなくプッシュボタンの小径化に伴ってダイアルを小径化することができる。
【００１０】
この結果、スイッチ操作部を可及的に小径化することができて、複合スイッチが組込まれる各種機器におけるスイッチ操作部の占有面積を縮小して、レイアウトの自由度を拡大することができる。
【発明を実施するための最良の形態】
【００１１】
以下、本発明の実施形態を図面と共に詳述する。
【００１２】
図１は本発明に係る複合スイッチの外観斜視図、図２は本発明に係る複合スイッチを裏面側から見た外観斜視図、図３は図１に示した複合スイッチの断面斜視図、図４は図１に示した複合スイッチの分解斜視図である。
【００１３】
また、図５はフレキシブルプリント配線板の展開平面図、図６はスイッチユニットの斜視図、図７はスイッチユニットを裏面側から見た斜視図、図８はスイッチユニットにプッシュボタンおよび押圧力伝達部材を組付けた状態を示す斜視図、第９はスライダーの斜視図、図１０はベースにクリック機構のリング状板ばねを組付けた状態を示す斜視図、図１１はスイッチユニットに押圧力伝達部材とスライダーとを組付けた状態を裏面側から見た斜視図、図１２はベースに図１１に示したスイッチユニットを組付けた状態を裏面側から見た斜視図、図１３は図１２に示したベース上にダイアルを配置した状態を示す斜視図である。
【００１４】
本実施形態の複合スイッチ１は図１〜図４に示すように、円形のプッシュボタン１０と、該プッシュボタン１０を囲んで配設されたダイアル２０と、中央スイッチ３１およびその周辺に設けた複数個の周辺スイッチ３２を有して、前記プッシュボタン１０の押圧操作により作動される多方向スイッチ３０と、前記ダイアル２０の回動操作により作動されるロータリエンコーダ４０と、これらプッシュボタン１０，ダイアル２０，多方向スイッチ３０およびロータリエンコーダ４０を配設したベース５０と、を備えている。
【００１５】
ここで、本発明にあっては、前記プッシュボタン１０を、前記多方向スイッチ３０の中央スイッチ３１のみの押圧操作用に設定している。
【００１６】
一方、前記ダイアル２０は、前記ベース５０に対してその面方向（図１の上下方向）にも可動的に配設し、該ダイアル２０に前記多方向スイッチ３０の各周辺スイッチ３２に対応する位置を押圧することにより、所定の周辺スイッチ３２を作動する周辺スイッチ押圧操作機能を付与している。
【００１７】
また、前記ロータリエンコーダ４０は、前記多方向スイッチ３０の裏側に併設されている。
【００１８】
具体的には、多方向スイッチ３０は合成樹脂材からなる円盤状のスイッチベース６０の一側面上（図３、図４、図６の上面）に固定配置されており、このスイッチベース６０の裏側にロータリエンコーダ４０を配設してスイッチユニットを構成している。
【００１９】
多方向スイッチ３０は、本実施形態では中央スイッチ３１と、その周辺の一円周上に４個の周辺スイッチ３２を等間隔に配置した４方向スイッチで構成され、この多方向スイッチ３０は、中央固定接点３１ａと、その周辺の円周上に配設された４個の周辺固定接点３２ａとがプリントされて、前記スイッチベース６０上に重合固定された平面略円形のフレキシブルプリント配線板７０と、前記中央固定接点３１ａおよび各周辺固定接点３２ａ上に配置されて、上方からの押圧力により接点を閉じ、押圧力を除くと復元可能なドーム状可動接点３１ｂ，３２ｂと、で構成している。
【００２０】
前記ドーム状可動接点３１ｂ，３２ｂは、中央固定接点３１ａ，各周辺固定接点３２ａ上に適正に位置決めした状態で、フレキシブルプリント配線板７０とほぼ同一径に形成した図外の接着シートを被せて、該接着シートによりフレキシブルプリント配線板７０上に保持している（図５参照）。
【００２１】
ロータリエンコーダ４０は、Ａ相，Ｂ相，コモンの各エンコーダ用の固定接点４０ａ，４０ｂ，４０ｃがプリントされて、前記スイッチベース６０の裏面に重合固定されたフレキシブルプリント配線板７１と、後述するスライダー８０上に設けられて前記エンコーダ用の固定接点４０ａ〜４０ｃと摺接する３本の接触脚片を有するエンコーダ用の可動接点４０ｄと、で構成されている。
【００２２】
本実施形態では、前記ロータリエンコーダ４０のフレキシブルプリント配線板７１は円環状に形成され、前記多方向スイッチ３０のフレキシブルプリント配線板７０の周縁に連結片７２を介して一体に連設されている。
【００２３】
エンコーダ用の固定接点４０ａ〜４０ｃおよび多方向スイッチ３０の中央固定接点３１ａ，各周辺固定接点３２ａの各引出し線は、多方向スイッチ３０のフレキシブルプリント配線板７０の周縁に一体成形した共通の帯状の引出し部７３で形成されている。
【００２４】
これらフレキシブルプリント配線板７０，７１を固定配置するスイッチベース６０の面上には、４個のピン６１を突設する一方、フレキシブルプリント配線板７０の前記ピン６１にそれぞれ対応する位置に係止孔７４を形成し、このフレキシブルプリント配線板７０は、図６に示すように前記ピン６１に係止孔７４を挿通係合し、該ピン６１をかしめることによって、スイッチベース６０に固定されている。
【００２５】
これらピン６１と係止孔７４によるフレキシブルプリント配線板７０の各固定点は、多方向スイッチ３０の各周辺スイッチ３２に近接した位置に設定されている。
【００２６】
また、スイッチベース６０の面上には、フレキシブルプリント配線板７０の引出し部７３を受容する溝部６２を形成してあると共に、該溝部６２の配線板中心側の端部に引出しスリット６３が形成されている。
【００２７】
前記引出し部７３は、フレキシブルプリント配線板７０の周縁部で折返して前記溝部６２に収容し、端部を引出しスリット６３からスイッチベース６０の中心部裏側に引出すように形成されている。
【００２８】
一方、このスイッチベース６０の裏面中央部には、図７に示すように円筒状のボス部６４と、該ボス部６４の成形基部外周にスライダー摺接段部６５とを形成し、前記ロータリエンコーダ４０のフレキシブルプリント配線板７１は、前記連結片７２でスイッチベース６０の裏側に折返してボス部６４，スライダー摺接段部６５に挿通し、このスライダー摺接段部６５と、スイッチベース６０の裏面周縁部に設けた複数の突縁部６６との間で、該スイッチベース６０の裏面に重合固定されている。
【００２９】
このフレキシブルプリント配線板７１は、前記スイッチベース６０の裏面から浮上がることがないように、該フレキシブルプリント配線板７１と同一形状に形成した図外の両面接着シートにより、該スイッチベース６０の裏面に全体的に密着させて接着固定されるが、スイッチベース６０の裏面周縁部で隣接する突縁部６６間に突設したロケートピン６７と、フレキシブルプリント配線板７１の周縁に延設した複数個の耳片７５に設けたロケート孔７６との係合により、前記連結片７２で折返した際に位置ずれが生じないように位置決めされる。
【００３０】
このロケートピン６７は、前記フレキシブルプリント配線板７１の接着固定後、かしめられる。
【００３１】
また、前記スイッチベース６０のボス部６４の端面には、該スイッチベース６０をベース５０に取付け固定するための複数個のピン６８が突設されている。
【００３２】
前述のように構成された多方向スイッチ３０とロータリエンコーダ４０（詳細にはフレキシブルプリント配線板７１）を取付けたスイッチベース６０は、前記ボス部６４端のピン６８を、これと対応したベース５０の中央部に設けた取付孔５１に挿通し、突出端を熱かしめして該ベース５０に固定されている（図２参照）。
【００３３】
このベース５０の中央部には、図２，図３に示すようにハーネス引出し孔５２を形成し、前記スイッチベース６０の引出しスリット６３から引出したフレキシブル配線板７０の引出し部７３は、ボス部６４内を通して前記ハーネス引出し孔５２から外部へ引出される。
【００３４】
このハーネス引出し孔５２の一側縁には、ボス部６４内側に向けてカーリング成形して縁部に丸みを持たせたハーネスガイド５３を形成し、前記引出し部７３をこのハーネスガイド５３に沿わせて、ベース５０の裏面側で前記ピン６８と、引出し部７３の両側縁に形成した耳片７８に設けた取付孔７９とを係合し、熱かしめにより前記ベース５０に固定されている。
【００３５】
前記スイッチベース６０とベース５０との間には、ダイアル２０のスライダー８０が配設され、スイッチベース６０とダイアル２０との間にはダイアル２０の所定位置を押圧した際に、多方向スイッチ３０の所定の周辺スイッチ３２に押圧力を伝達する押圧力伝達部材９０が配設される。
【００３６】
前記プッシュボタン１０，ダイアル２０，スライダー８０，および押圧力伝達部材９０は、何れも合成樹脂材で形成されている。
【００３７】
前記スライダー８０は周壁を有する円環状に形成し、その周壁には複数個の係止片８１が周方向に等間隔で突設されている。
【００３８】
このスライダー８０は、前記スイッチベース６０のボス部６４に挿通され、内周側縁部が該ボス部６４の基部のスライダー摺接段部６５面に摺接して回動されるもので、後述するクリック機構１４０を構成するリング状板ばね１１０により前記スライダー摺接段部６５面と当接する方向にばね力で付勢されている。
【００３９】
そして、このスライダー８０の前記エンコーダ用の固定接点４０ａ〜４０ｃに対応する面上に、これら固定接点４０ａ〜４０ｃに摺接する３本の接触脚片を有するエンコーダ用の可動接点４０ｄが固定配置されている。
【００４０】
前記エンコーダ用の可動接点４０ｄの固定は、例えば図３，図９に示すように、スライダー８０の面上に突設したピン８２に可動接点４０ｄを挿通し、該ピン８２を熱かしめすることによって行うことができる。
【００４１】
前記押圧力伝達部材９０は、図８に示すように円形の外側フレーム９１と内側フレーム９２と、これら外、内フレーム９１，９２を連結する４本のスポーク９３とを備えている。
【００４２】
外側フレーム９１は、前記スイッチベース６０と同一の外径に形成され、前記各スポーク９３の外側延長上の下面には、先端にフック部９４ａを有する係止脚片９４が突設されている。
【００４３】
各係止脚片９４の形成基部にはスペーサ用突縁部９１ａを形成し、外側フレーム９１をスイッチベース６０の周縁部上に定置した際に、外側フレーム９１と多方向スイッチ３０における周辺スイッチ３２のドーム状可動接点３２ｂとの間に、所要のクリアランスが確保されている。
【００４４】
また、前記外側フレーム９１の内周には、平面略Ｕ字状の各一対のアームからなる板ばね部９５を介して連設されて、前記ダイアル２０の裏面に弾性的に摺接する４個のダイアル摺接片９６を周方向に等間隔に設けられている。
【００４５】
そして、各ダイアル摺接片９６の裏面に、多方向スイッチ３０における各周片スイッチ３２のドーム状可動接点３２ｂの頂部に当接する押圧子９７が突設されている。
【００４６】
従って、前記スポーク部９３は、各隣接するダイアル摺接片９６，９６間，具体的には各隣接する板ばね部９５，９５間に配設される。
【００４７】
この押圧力伝達部材９０は、前記係止脚片９４をスイッチベース６０の周縁部に形成した切欠部６９に係合し、先端のフック部９４ａを切欠部６９縁に係着して該スイッチベース６０に組付けられるもので、本実施形態では前記内側フレーム９２によって、プッシュボタン１０が抜止め保持されている。
【００４８】
即ち、前記プッシュボタン１０は円形に形成されていて、周面下部に目隠し用の段部１１に続いてフランジ部１２を一体に形成し、該プッシュボタン１０を前記多方向スイッチ３０における中央スイッチ３１の直上部分に配置して、フランジ部１２上に前記押圧力伝達部材９０の内側フレーム９２を当接係合することにより、該プッシュボタン１０を内側フレーム９２で抜止め保持して、前記スイッチベース６０に組付けられる（図３，図８参照）。
【００４９】
このプッシュボタン１０の裏面中心部には、前記中央スイッチ３１のドーム状可動接点３１ｂの頂部に当接する押圧子１３が突設されている。
【００５０】
従って、このプッシュボタン１０は、多方向スイッチ３０の中央スイッチ３１のみの押圧操作用として設定されている。
【００５１】
前記ダイアル２０は、その中央部に前記プッシュボタン１０を突出配置し得る円環形状に形成して、その面上に滑り止め用の凹凸面２１が形成され、裏面には前記押圧力伝達部材９０の各ダイアル摺接片９６面上に摺接する円環状の突起２２が形成されている。
【００５２】
本実施形態では前記ダイアル２０が、前記多方向スイッチ３０，ロータリエンコーダ４０，スライダー８０，および押圧力伝達部材９０を内包するカップ状に形成されている。
【００５３】
このダイアル２０の周壁の端縁部には、前記スライダー８０の係止片８１に係合する切欠部２３が形成され、これら係止片８１と切欠部２３との係合により、該ダイアル２０がスライダー８０と一体に回動し、かつ、スライダー８０に対してその面方向に可動的となっている。
【００５４】
また、ダイアル２０は前記ベース５０に対しては、該ベース５０に固定配置した円形リング状のダイアルホルダ１００により、該ダイアルホルダ１００の上縁のフランジ部１０１と、ダイアル２０の周壁縁外周に突設したフランジ部２４との係合により回動自在に抜止め保持されている。
【００５５】
ここで、前記ダイアル２０が、前記円環状の突起２２が押圧力伝達部材９０の各ダイアル摺接片９６面上に当接した静止状態では、前記スライダー８０の係止片８１の面上と、ダイアル周壁の切欠部２３の切欠止端との間に、多方向スイッチ３０の各周辺スイッチ３２の作動に必要なクリアランスが確保されている。
【００５６】
従って、ダイアル２０に、前記多方向スイッチ３０の各周辺スイッチ３２に対応する所定位置を押圧することにより、所定の周辺スイッチ３２を作動する周辺スイッチ操作機能が付与されることになる。
【００５７】
前記ダイアルホルダ１００のベース５０に対する固定は、例えば図２，図３に示すように、ダイアルホルダ１００の下端に突設した複数個のピン１０２を、ベース５０の外周側に設けた取付孔５４に挿入し、その突出端を熱かしめして行うことができる。
【００５８】
一方、前記スライダー８０は、前記ベース５０の面上に固定したリング状板ばね１１０により、内周側縁部が前記スイッチベース６０のボス部６４の基部に形成したスライダー摺接段部６５面に当接する方向に付勢して、面方向のガタツキを防止している。
【００５９】
前記リング状板ばね１１０は図１０に示すように、それよりも径の大きなリング状リテーナ１２０を介してベース５０に２ヶ所でねじ部材１３０により締結固定している。
【００６０】
このリング状板ばね１１０の前記ねじ部材１３０による固定点間の中央に位置するばね頂部には、それぞれ突設部１１１を形成する一方、スライダー８０の裏面には図１１に示すように前記突設部１１１が摺接する凹凸部８３を周方向に形成し、これらリング状板ばね１１０と凹凸部８３とにより、ダイアル２０の回動操作に節度感を付与するクリック機構１４０を構成している。
【００６１】
一方、前記ダイアル２０のフランジ部２４には、先端がダイアルホルダ１００のフランジ部１０１に点又は線接触して、フランジ部２４，１０１同士が離間する方向にばね力を付与する複数個、例えば４個の板ばね部２５を切り起し成形して、フランジ部２４，１０１間に所要のクリアランスが設定されている。
【００６２】
以上の構成よりなる複合スイッチ１は、次のようにして組立てられる。
【００６３】
ベース５０の面上には、図１０に示すようにリング状板ばね１１０がねじ部材１３０により予め取付けられる。
【００６４】
多方向スイッチ３０は、図６に示すようにドーム状可動接点３１ｂ，３２ｂを所定位置に保持固定したフレキシブルプリント配線板７０が、スイッチベース６０の面上に重合して固定され、ロータリエンコーダ４０のフレキシブルプリント配線板７１は、連結片７２でスイッチベース６０の裏側に折返し、図７に示すようにボス部６４およびスライダー摺接段部６５に挿通して、該スイッチベース６０の裏面に重合固定され、帯状の引出し部７３はスイッチベース６０の中央部の引出しスリット６３から円筒状のボス部６４内に引出しておく。
【００６５】
そして、このようにフレキシブルプリント配線板７０，７１をスイッチベース６０の両面に重合固定して構成されたスイッチユニットの面上中心部、つまり、多方向スイッチ３０の中央スイッチ３１の直上にプッシュボタン１０を配置し、図８に示すように該スイッチユニットに押圧力伝達部材９０を、その係止脚片９４を介して組付け、スイッチユニットと、プッシュボタン１０と、押圧力伝達部材９０と、をサブアッセンブリする。
【００６６】
次に、このアッセンブリしたユニットに、図１１に示すようにスイッチベース６０のボス部６４にスライダー８０を挿通し、該ボス部６４を図１２に示すようにベース５０に熱かしめ固定して、同時に前記引出し部７３をベース５０のハーネス引出し孔５２から外部へ引出して、ベース５０の裏面にかしめ固定する。
【００６７】
次いで、ダイアル２０を、図１３に示すように前記押圧力伝達部材９０，スイッチユニット，およびスライダー８０を内包して被冠し、スライダー８０の係止片８１と切欠部２３とを係合してベース５０上に定置し、ダイアルホルダ１００を図１，図２に示すように該ベース５０上にかしめ固定して、ダイアル２０をベース５０面と平行に回動自在に保持させることにより、組付けが完了する。
【００６８】
このようにして組付けられた複合スイッチ１では、ダイアル２０の中央部に露出したプッシュボタン１０を押圧することにより、その裏面の押圧子１３で多方向スイッチ３０における中央スイッチ３１のドーム状可動接点３１ｂを押圧してこれを展開変形させ、中央固定接点３１ａに接触させて該中央スイッチ３１を作動することができる。
【００６９】
ダイアル２０を、その面上の凹凸面２１に指の腹を当てて図１の時計方向、又は反時計方向に回動することにより、スライダー８０が一体に回動して、その面上に固定したエンコーダ用可動接点４０ｄが、スイッチベース６０裏面のフレキシブルプリント配線板７１のエンコーダ用固定接点４０ａ〜４０ｃ上を摺接し、ロータリエンコーダ４０を作動して所要の信号を出力することができる。
【００７０】
また、このダイアル２０の前記多方向スイッチ３０における各周辺スイッチ３２に対応する所定位置を押圧すると、ダイアル２０の裏面の円環状の突起２２で、押圧力伝達部材９０の所定の周辺スイッチ３２に対応したダイアル摺接片９６を、板ばね部９５の弾性変形を伴って押動し、該ダイアル摺接片９６の裏面の押圧子９７で所定の周辺スイッチ３２のドーム状可動接点３２ｂを押圧してこれを展開変形させ、周辺固定接点３２ａに接触させて該所定の周辺スイッチ３２を作動することができる。
【００７１】
即ち、ダイアル２０がロータリエンコーダ４０の作動と、多方向スイッチ３０の４方向作動との両操作機能を併有している。
【００７２】
このダイアル２０の所定位置以外の部分を押圧した場合に、周辺スイッチ３２の誤作動が懸念されるが、例えば図８に示すように押圧力伝達部材９０の各隣接するダイアル摺接片９６，９６間のスポーク９３上に、ダイアル２０の押動を規制する突起９８を突設することにより、該ダイアル２０が前記所定位置以外の部分で押圧された場合に、突起９８がダイアル２０の裏面に当接して押圧ストロークが規制され、隣接する周辺スイッチ３２，３２が同時に作動する誤作動を防止することができる。
【００７３】
以上の構成よりなる本実施形態の複合スイッチ１によれば、ダイアル２０の中央部に配置したプッシュボタン１０を多方向スイッチ３０の中央スイッチ３１のみの押圧操作用に設定し、該プッシュボタン１０の周囲に配置したロータリエンコーダ回動操作用のダイアル２０が、多方向スイッチ３０の周辺スイッチ３２を押圧作動する周辺スイッチ押圧操作機能を併有しているため、プッシュボタン１０の小径化が可能となると共に、これに伴ってダイアル２０を小径化することができる。
【００７４】
この結果、スイッチ操作部を可及的に小径化することができて、複合スイッチ１が組込まれる各種機器におけるスイッチ操作部の占有面積を縮小して、レイアウトの自由度を拡大することができる。
【００７５】
また、前述のロータリエンコーダ４０は、多方向スイッチ３０の裏側に併設してあるため、これらロータリエンコーダ４０と多方向スイッチ３０とからなるスイッチユニット自体を小径化することができるから、前記プッシュボタン１０とダイアル２０とからなるスイッチ操作部を、構造的に無理なく小径化することができる。
【００７６】
一方、前記ダイアル２０と多方向スイッチ３０との間には、ベース５０側に固定される押圧力伝達部材９０を配設して、ダイアル２０の所定位置を押圧すると所定の周辺スイッチ３２を作動するようにしているため、ダイアル２０の押圧操作力を直ちに周辺スイッチ３２に伝達して、これを正確に作動させることができる。
【００７７】
特に、この押圧力伝達部材９０は、各周辺スイッチ３２の上方で板ばね部９５を介して配設されて、ダイアル２０の裏面に弾性的に摺接するダイアル摺接片９６と、該ダイアル摺接片９６の裏面に突設されて周辺スイッチ３２に当接する押圧子９７とを備えているため、ダイアル２０，押圧力伝達部材９０，周辺スイッチ３２の各部材間に隙間が生じることがなく、ダイアル２０のガタツキを構造的に簡単に防止することができる。
【００７８】
また、該押圧力伝達部材９０によりプッシュボタン１０を中央スイッチ３１に当接した状態で抜止め保持しているため、プッシュボタン１０の専用の取付部材を必要とすることなく、該プッシュボタン１０をガタツキなく取付けることができる。
【００７９】
しかも、この押圧力伝達部材９０は、ダイアル２０を所定位置以外の部位で押圧した際に、該ダイアル２０の裏面に当接して周辺スイッチ３２の誤作動を防止する突起９８を備えているため、周辺スイッチ３２の誤作動を確実に防止できて、品質感および信頼性を高めることができる。
【００８０】
ここで、前述のように、前記ロータリエンコーダ４０は多方向スイッチ３０の裏側に併設されるが、特に本実施形態ではこの多方向スイッチ３０をスイッチベース６０の面上に固定配置し、該スイッチベース６０の裏側にロータリエンコーダ４０を配設してあるため、多方向スイッチ３０とロータリエンコーダ４０とをスイッチベース６０を介して一体的に組付けてサブアッセンブリしてユニット化できるため、部品管理および部品組付性を向上することができる。
【００８１】
しかも、このスイッチベース６０に前記押圧力伝達部材９０を固定してサブアッセンブリするようにしているため、スイッチベース６０のベース５０への組付けと同時に押圧力伝達部材９０の組付けが行え、組付作業性を簡単にすることができる。
【００８２】
一方、スイッチベース６０とベース５０との間には、該スイッチベース６０の裏面中央に突設した円筒状のボス部６４に挿通されて、前記ダイアル２０と一体に回動するスライダー８０を配設しているため、このスライダー８０によりダイアル２０の回動操作を円滑に行わせることができる。
【００８３】
このスライダー８０とベース５０との相互には、ダイアル２０の回動操作に節度感を付与するクリック機構１４０を構成しているため、クリック作用によりダイアル２０の回動操作の安定性を保つことができる。
【００８４】
更に、前記多方向スイッチ３０は、中央固定接点３１ａとその周辺に配設された複数個の周辺固定接点３２ａとがプリントされて、前記スイッチベース６０の面上に重合固定したフレキシブルプリント配線板７０と、これら中央固定接点３１ａ，周辺固定接点３２ａ上に配置されて、プッシュボタン１０とダイアル２０の押圧力により展開可能なドーム状可動接点３１ｂ，３２ｂと、で構成しているため、多方向スイッチ３０のスイッチ構成を、厚み寸法を小さく抑えてコンパクトに、かつ、単純化することができる。
【００８５】
同様に、ロータリエンコーダ４０にあっても、エンコーダ用固定接点４０ａ〜４０ｃがプリントされて、スイッチベース６０の裏面に重合固定したフレキシブルプリント配線板７１と、前記スライダー８０上に設けられて、エンコーダ用固定接点４０ａ〜４０ｃと摺接するエンコーダ用の可動接点４０ｄと、で構成しているため、ロータリエンコーダ４０の構成を、厚み寸法を小さく抑えてコンパクトに、かつ、単純化することができる。
【００８６】
とりわけ本実施形態では、これら多方向スイッチ３０のフレキシブルプリント配線板７０と、ロータリエンコーダ４０のフレキシブルプリント配線板７１とを、連結片７２を介して一体に連設して、フレキシブルプリント配線板７０をスイッチベース６０面上に重合固定し、連結片７２でフレキシブルプリント配線板７１をスイッチベース６０の裏側に折返して、これを該スイッチベース６０の裏面に重合固定するようにしているため、スイッチユニットの組立てを容易に行うことができる。
【００８７】
しかも、フレキシブルプリント配線板７０，７１の引出し線は、フレキシブルプリント配線板７０の周縁に一体成形した共通の引出し部７３に形成してあって、この引出し部７３をスイッチベース６０の中央部を貫通してその裏側のボス部６４内に通し、ベース５０の中央部のハーネス引出し孔５２から外部へ引出してあるから、フレキシブル配線板７０，７１の引出し配線構造を簡単にすることができる。
【００８８】
また、ダイアル２０はカップ状に形成して、多方向スイッチ３０，ロータリエンコーダ４０，押圧力伝達部材９０，およびスライダー８０を内包し、該ダイアル２０がスイッチカバーとしての機能を併有しているので、部品点数を極力少なく抑え、かつ、より一層小型化することができる。
【００８９】
このダイアル２０は、ベース５０に固定したリング状のダイアルホルダ１００により回動自在に保持しているが、ダイアル２０側のフランジ部２４には、ダイアルホルダ１００側のフランジ部１０１に点又は線接触して、これらフランジ部２４，１０１同士間に所要のクリアランスを確保して、これら両者が離間する方向にばね力を付与する複数個の板ばね部２５を設けてあるので、ダイアル２０とダイアルホルダ１００との摺接抵抗を小さくすることができる。
【００９０】
しかも、この板ばね部２５の存在により、押圧力伝達部材９０の板ばね部９５を蓄勢させずに、即ち、板ばね部９５を撓み変形させずにダイアル２０の裏面とダイアル摺接片９６とをゼロタッチさせて配設することができるので、ダイアル２０と押圧力伝達部材９０と多方向スイッチ３０の周辺スイッチ３２との当接状態を維持してダイアル２０のガタツキを無くした上で、該ダイアル２０の回動操作性をより一層軽くすることができる。
【００９１】
そして、前記フランジ部２４，１０１間には僅かなクリアランスが保持されているため、ダイアル２０の所定位置を押圧して多方向スイッチ３０の周辺スイッチ３２を作動した場合に、該ダイアル２０のフランジ部２４がダイアルホルダ１００にスティックする作動不良を回避することができる。
【図面の簡単な説明】
【００９２】
【図１】本発明の一実施形態を示す外観斜視図。
【図２】図１に示した実施形態の裏面側から見た外観斜視図。
【図３】図１に示した実施形態の断面斜視図。
【図４】図１に示した実施形態の分解斜視図。
【図５】フレキシブルプリント配線板の展開平面図。
【図６】スイッチユニットの斜視図。
【図７】スイッチユニットを裏面側から見た斜視図。
【図８】スイッチユニットにプッシュボタンおよび押圧力伝達部材を組付けた状態を示す斜視図。
【図９】スライダーの斜視図。
【図１０】ベースにクリック機構のリング状板ばねを組付けた状態を示す斜視図。
【図１１】スイッチユニットに押圧力伝達部材とスライダーとを組付けた状態を裏面側から見た斜視図。
【図１２】ベースに図１１に示したスイッチユニットを組付けた状態を裏面側から見た斜視図。
【図１３】図１２に示したベース上にダイアルを配置した状態を示す斜視図。
【符号の説明】
【００９３】
１  複合スイッチ
１０  プッシュボタン
２０  ダイアル
２４  フランジ部
２５  板ばね部
３０  多方向スイッチ
３１  中央スイッチ
３１ａ  固定接点
３１ｂ  ドーム状可動接点
３２  周辺スイッチ
３２ａ  固定接点
３２ｂ  ドーム状可動接点
４０  ロータリエンコーダ
４０ａ〜４０ｃ  エンコーダ用の固定接点
４０ｄ  エンコーダ用の可動接点
５０  ベース
５２  ハーネス引出し孔
６０  スイッチベース
６４  円筒状のボス部
７０，７１  フレキシブルプリント配線板
７２  連結片
７３  引出し部
８０  スライダー
９０  押圧力伝達部材
９５  板ばね部
９６  ダイアル摺接片
９７  押圧子
９８  誤作動防止用の突起
１００  ダイアルホルダ
１０１  フランジ部
１４０  クリック機構
【図１】
0005086776.tif 000002
【図２】
0005086776.tif 000003
【図３】
0005086776.tif 000004
【図４】
0005086776.tif 000005
【図５】
0005086776.tif 000006
【図６】
0005086776.tif 000007
【図７】
0005086776.tif 000008
【図８】
0005086776.tif 000009
【図９】
0005086776.tif 000010
【図１０】
0005086776.tif 000011
【図１１】
0005086776.tif 000012
【図１２】
0005086776.tif 000013
【図１３】
0005086776.tif 000014